(57)【要約】【課題】熱源装置の移送時に冷却水が零れ落ちることを防止しながら、煩雑な作業を必要とすることなく設置場所において適当な濃度の冷却水を得ることができる熱源装置の施工方法、熱源装置及び貯湯システムを提供する。【解決手段】熱発生部４１と熱放出部４３との間で冷却水Ｃを循環させる冷却水循環流路４２と、冷却水循環流路４２に配置され冷却水Ｃを大気開放状態で貯留する膨張タンク５０とを備えた熱源ユニット４０を、設置場所に移送する前に、冷却水循環流路４２における冷却水Ｃの状態を、冷却水Ｃに含まれる添加剤の濃度が標準濃度よりも高く且つ液面レベルが標準液面レベル５５ａよりも低い高濃度低液面レベル状態とし、設置場所に移送した後に、冷却水循環流路４２に上水Ｗを加え、冷却水Ｃの状態を、添加剤の濃度が標準濃度となり且つ液面レベルが標準液面レベル５５ａとなる標準状態とする。【選択図】図１
2014102035.tif 000002
【特許請求の範囲】
【請求項１】
熱を発生して冷却水を加熱する熱発生部と、熱を放出して冷却水を冷却する熱放出部と、前記熱発生部と前記熱放出部との間で冷却水を循環させる冷却水循環流路と、前記冷却水循環流路に配置され冷却水を大気開放状態で内部に一時的に貯留する膨張タンクとを備えた熱源装置を、所定の設置場所へ設置する施工方法であって、
前記熱源装置を前記設置場所に移送する前に、前記冷却水循環流路における冷却水の状態を、冷却水に含まれる添加剤の濃度が標準濃度よりも高く且つ液面レベルが標準液面レベルよりも低い高濃度低液面レベル状態とし、
前記熱源装置を前記設置場所に移送した後に、前記冷却水循環流路に上水を加えて、前記冷却水循環流路における冷却水の状態を、前記添加剤の濃度が前記標準濃度となり且つ液面レベルが前記標準液面レベルとなる標準状態とする熱源装置の施工方法。
【請求項２】
熱を発生して冷却水を加熱する熱発生部と、熱を放出して冷却水を冷却する熱放出部と、前記熱発生部と前記熱放出部との間で冷却水を循環させる冷却水循環流路と、前記冷却水循環流路に配置され冷却水を大気開放状態で内部に一時的に貯留する膨張タンクとを備え、
請求項１に記載の施工方法で所定の設置場所へ設置される熱源装置であって、
前記膨張タンク内の冷却水の液面レベルを検出する液面レベル検出手段と、当該膨張タンク内に上水を断続供給して前記液面レベル検出手段で検出される液面レベルを標準液面レベルに維持する給水手段とを備え、
前記給水手段は、前記熱源装置を前記設置場所に移送した後に、前記高濃度低液面レベル状態にある冷却水に上水を供給して、前記冷却水循環流路における冷却水の状態を、前記標準状態とする熱源装置。
【請求項３】
前記熱源装置を前記設置場所に移送した後に、前記給水手段による上水の供給に先立って、前記冷却水循環流路に設けられた冷却水循環ポンプを一時的に作動させて、前記冷却水循環路に冷却水を循環させる一時循環処理を実行する請求項２に記載の熱源装置。
【請求項４】
前記熱源装置を前記設置場所に移送する前に、前記給水手段の作動を禁止した状態で、前記液面レベル検出手段で検出した液面レベルを判定基準液面レベルとして記録する判定基準液面レベル記録処理を実行し、
前記熱源装置を前記設置場所に移送した後に、前記液面レベル検出手段で検出した液面レベルが前記判定基準液面レベルと一致した場合に、前記給水手段の作動を許可する液面レベル判定処理を実行する運転制御手段を備えた請求項２又は３に記載の熱源装置。
【請求項５】
前記運転制御手段が、前記熱源装置を前記設置場所に移送した後に、前記液面レベル判定処理に先立って、前記冷却水循環流路に設けられた冷却水循環ポンプを一時的に作動させて、前記冷却水循環路に冷却水を循環させる一時循環処理を実行する請求項４に記載の熱源装置。
【請求項６】
前記膨張タンクの側面の前記標準液面レベルよりも上方に、冷却水を外部へ排出するオーバーフロー用排出口を備え、
前記膨張タンクの内部に前記オーバーフロー用排出口の下縁部側から前記膨張タンクの内側へ向かって延びる仕切板が設けられた請求項２〜５の何れか１項に記載の熱源装置。
【請求項７】
前記仕切板は、前記膨張タンクの内側に位置する先端部が、前記膨張タンクの側面側に位置する基端部よりも下方に位置するように傾斜されている請求項６に記載の熱源装置。
【請求項８】
請求項２〜７の何れか１項に記載の熱源装置を備えると共に、前記熱源装置の熱放出部が、前記加熱した冷却水との熱交換により被加熱流体を加熱する排熱熱交換器で構成され、
前記排熱熱交換器で加熱された前記被加熱流体を貯留する貯湯タンクを備えた貯湯システム。
【発明の詳細な説明】
【技術分野】
【０００１】
本発明は、熱を発生して冷却水を加熱する熱発生部と、熱を放出して冷却水を冷却する熱放出部と、前記熱発生部と前記熱放出部との間で冷却水を循環させる冷却水循環流路と、前記冷却水循環流路に配置され冷却水を大気開放状態で内部に一時的に貯留する膨張タンクとを備えた熱源装置を、所定の設置場所へ設置する施工方法、熱源装置及び貯湯システムに関する。
【背景技術】
【０００２】
従来のシステムとして、例えば、特許文献１には、熱発生部としてのエンジンと、熱放出部としての熱媒・上水熱交換器と、前記エンジンと前記熱媒・上水熱交換器との間で冷却水を循環させる冷却水循環流路と、その冷却水循環流路に配置され冷却水を内部に一時的に貯留する膨張タンクとを備えた熱源装置が開示されている。この膨張タンクは、その上面全域が開放された大気開放形のタンクで構成されている。
また、この種の冷却水としては、不凍剤や防錆剤等の添加剤を上水に対して所定の濃度まで添加したものが利用される。
【０００３】
このような熱源装置は、製造工場内等の設置場所とは別の場所で試運転が行われた後に設置場所まで移送され設置される。その製造工場内等で行われる試運転では、通常、膨張タンクが所定の満水レベルとなるまで熱源装置に冷却水が満たされた状態で行われる。
【先行技術文献】
【特許文献】
【０００４】
【特許文献１】特開２０１０−８４９９８号公報
【発明の概要】
【発明が解決しようとする課題】
【０００５】
しかしながら、上記特許文献１の熱源装置のように膨張タンクの上面全域が開放されている場合には、その熱源装置を、試運転後に膨張タンクに冷却水が満たされた状態のまま設置場所まで移送すると、移送時の振動等により、膨張タンク内の冷却水が波打って、上面開放部から零れ落ちる場合がある。
また、このように冷却水が零れるなどして膨張タンクの液面レベルが満水レベルに満たない状態となってしまった場合には、自動又は手動でその膨張タンクに上水を補給するが、この上水の補給により、冷却水における不凍剤や防錆剤等の添加剤の濃度が、不凍作用及び防錆作用等を発揮するための適切な標準濃度よりも低下してしまう場合がある。そして、かかる添加剤の濃度低下を補うために、膨張タンクに対して添加剤をも補充するというような煩雑な作業が必要となる。
【０００６】
本発明は、かかる点に着目してなされたものであり、その目的は、熱源装置の移送時に冷却水が零れ落ちることを防止しながら、煩雑な作業を必要とすることなく設置場所において適当な濃度の冷却水を得ることができる熱源装置の施工方法、熱源装置及び貯湯システムを提供する点にある。
【課題を解決するための手段】
【０００７】
この目的を達成するための本発明に係る熱源装置の施工方法は、
熱を発生して冷却水を加熱する熱発生部と、熱を放出して冷却水を冷却する熱放出部と、前記熱発生部と前記熱放出部との間で冷却水を循環させる冷却水循環流路と、前記冷却水循環流路に配置され冷却水を大気開放状態で内部に一時的に貯留する膨張タンクとを備えた熱源装置を、所定の設置場所へ設置する施工方法であって、その特徴構成は、
前記熱源装置を前記設置場所に移送する前に、前記冷却水循環流路における冷却水の状態を、冷却水に含まれる添加剤の濃度が標準濃度よりも高く且つ液面レベルが標準液面レベルよりも低い高濃度低液面レベル状態とし、
前記熱源装置を前記設置場所に移送した後に、前記冷却水循環流路に上水を加えて、前記冷却水循環流路における冷却水の状態を、前記添加剤の濃度が前記標準濃度となり且つ液面レベルが前記標準液面レベルとなる標準状態とする点にある。
尚、標準液面レベル及び標準濃度とは、通常の状態で熱源装置が使用される際の冷却水の液面レベル及び濃度である。
【０００８】
上記熱源装置の施工方法の特徴構成によれば、膨張タンク内の冷却水の液面レベルを標準液面レベルよりも低い高濃度低液面レベル状態として、熱源装置を移送することができるので、熱源装置の移送時において、熱源装置の振動に伴って膨張タンク内の冷却水が波打つ状態となる場合でも、大気開放状態にある膨張タンクの大気開放部から冷却水が零れ落ちることを防止することができる。
また、移送後において、移送前において高濃度低液面レベル状態に調整されている冷却水に対して上水を加えるだけで、冷却水の添加剤の濃度が標準濃度となり且つ冷却水の液面レベルが標準液面レベルとなる標準状態として、容易且つ迅速に冷却水を通常使用する状態とすることができる。
【０００９】
また、この目的を達成するための本発明に係る熱源装置は、
熱を発生して冷却水を加熱する熱発生部と、熱を放出して冷却水を冷却する熱放出部と、前記熱発生部と前記熱放出部との間で冷却水を循環させる冷却水循環流路と、前記冷却水循環流路に配置され冷却水を大気開放状態で内部に一時的に貯留する膨張タンクとを備え、
本発明に係る施工方法で所定の設置場所へ設置される熱源装置であって、その第１特徴構成は、
前記膨張タンク内の冷却水の液面レベルを検出する液面レベル検出手段と、当該膨張タンク内に上水を断続供給して前記液面レベル検出手段で検出される液面レベルを標準液面レベルに維持する給水手段とを備え、
前記給水手段は、前記熱源装置を前記設置場所に移送した後に、前記高濃度低液面レベル状態にある冷却水に上水を供給して、前記冷却水循環流路における冷却水の状態を、前記標準状態とする点にある。
【００１０】
また、この目的を達成するための本発明に係る貯湯システムの特徴構成は、
本発明に係る熱源装置を備えると共に、前記熱源装置の熱放出部が、前記加熱した冷却水との熱交換により被加熱流体を加熱する排熱熱交換器で構成され、
前記排熱熱交換器で加熱された前記被加熱流体を貯留する貯湯タンクを備えた点にある。
【００１１】
上記熱源装置の第１特徴構成及び貯湯システムの特徴構成によれば、上述したような本発明の熱源装置の施工方法を好適に実施することができる。
つまり、膨張タンク内の冷却水の液面レベルを標準液面レベルよりも低い高濃度低液面レベル状態として、熱源装置を移送することができるので、移送時において、大気開放状態にある膨張タンクの大気開放部から冷却水が零れ落ちることを防止することができる。また、移送後においては、高濃度低液面レベル状態に調整されている冷却水に対して上水を加えるだけで、冷却水を標準状態にすることができる。
【００１２】
本発明に係る熱源装置の第２特徴構成は、上記第１特徴構成に加えて、
前記熱源装置を前記設置場所に移送した後に、前記給水手段による上水の供給に先立って、前記冷却水循環流路に設けられた冷却水循環ポンプを一時的に作動させて、前記冷却水循環路に冷却水を循環させる一時循環処理を実行する点にある。
【００１３】
上記熱源装置の第２特徴構成によれば、熱源装置を移送した後に、給水手段による上水の供給に先立って、冷却水循環ポンプを一時的に作動させるので、熱源装置の移送時において、冷却水循環流路等に空気が混入した場合でも、その混入した空気を大気開放状態にある膨張タンクから大気中に放出することができる。これにより、空気の混入のない高濃度低液面レベル状態にある冷却水に対して標準液面レベルまで上水を供給して、冷却水を正確に標準状態とすることができる。
【００１４】
本発明に係る熱源装置の第３特徴構成は、上記第１乃至第２特徴構成の何れかに加えて、
前記熱源装置を前記設置場所に移送する前に、前記給水手段の作動を禁止した状態で、前記液面レベル検出手段で検出した液面レベルを判定基準液面レベルとして記録する判定基準液面レベル記録処理を実行し、
前記熱源装置を前記設置場所に移送した後に、前記液面レベル検出手段で検出した液面レベルが前記判定基準液面レベルと一致した場合に、前記給水手段の作動を許可する液面レベル判定処理を実行する運転制御手段を備えた点にある。
【００１５】
上記熱源装置の第３特徴構成によれば、熱源装置を設置場所に移送する前に、冷却水循環流路における冷却水の状態を、添加剤の濃度が標準濃度よりも高く且つ液面レベルが標準液面レベルよりも低い高濃度低液面レベル状態として、運転制御手段が判定基準液面レベル記録処理を実行するので、給水手段の作動が禁止された状態で、液面レベル検出手段で検出した液面レベルが判定基準液面レベルとして記録される。
次に、熱源装置を設置場所に移送した後に、運転制御手段が、液面レベル判定処理を実行し、そのときに検出した液面レベルが、移送前に記録した判定基準液面レベルと一致した場合には、移送時に膨張タンクから冷却水が零れ落ちなかったと判断する。この場合、給水手段の作動が許可されて、冷却水が標準状態となるまで上水が加えられるので、容易且つ迅速に冷却水を通常使用する状態とすることができる。
一方、移送した後に検出した液面レベルが、移送前に記録した判定基準液面レベルと一致しなかった場合には、移送時に膨張タンクから冷却水が零れ落ちたと判断して、冷却水に上水を加えることなく、例えばエラー表示等を行って、添加剤の補充等の措置を促すことができる。
【００１６】
本発明に係る熱源装置の第４特徴構成は、上記第３特徴構成に加えて、
前記運転制御手段が、前記熱源装置を前記設置場所に移送した後に、前記液面レベル判定処理に先立って、前記冷却水循環流路に設けられた冷却水循環ポンプを一時的に作動させて、前記冷却水循環流路に冷却水を循環させる一時循環処理を実行する点にある。
【００１７】
上記熱源装置の第４特徴構成によれば、熱源装置を移送した後に、液面レベル判定処理に先立って、冷却水循環ポンプを一時的に作動させて冷却水を循環させるので、熱源装置の移送時において、冷却水循環流路等に空気が混入した場合でも、その混入した空気を大気開放状態にある膨張タンクから大気中に放出して、冷却水の液面レベルを正確に検出できる状態とすることができる。
よって、液面レベル判定処理において、移送後の液面レベルが判定基準液面レベルと一致するかどうかを正確に判断することができる。
【００１８】
本発明に係る熱源装置の第５特徴構成は、上記第１乃至第４特徴構成の何れかに加えて、
前記膨張タンクの側面の前記標準液面レベルよりも上方に、冷却水を外部へ排出するオーバーフロー用排出口を備え、
前記膨張タンクの内部に前記オーバーフロー用排出口の下縁部側から前記膨張タンクの内側へ向かって延びる仕切板が設けられた点にある。
【００１９】
上記熱源装置の第５特徴構成によれば、オーバーフロー用排出口の下縁部側から前記膨張タンクの内側へ向かって延びる仕切板が設けられているので、熱源装置の移設時に、熱源装置の振動に伴い膨張タンク内の冷却水が波打った場合でも、波打った冷却水がオーバーフロー用排出口に流入することを仕切板が阻止するので、オーバーフロー用排出口から冷却水が膨張タンクの外部へ零れ落ちることを防止することができる。
【００２０】
本発明に係る熱源装置の第６特徴構成は、上記第５特徴構成に加えて、
前記仕切板は、前記膨張タンクの内側に位置する先端部が、前記膨張タンクの側面側に位置する基端部よりも下方に位置するように傾斜されている点にある。
【００２１】
上記熱源装置の第６特徴構成によれば、仕切板は、膨張タンクの内側に位置する先端部が、膨張タンクの側面側に位置する基端部よりも下方に位置するように傾斜されて設けられるので、例えば、移動中に波打って仕切板の上面側に付着した水滴や、膨張タンクの天井面から仕切板の上面側に滴下した水滴を、仕切板の先端部側に流動させて、膨張タンク内に戻すことができ、オーバーフロー用排出口から膨張タンクの外部へ冷却水が零れ落ちることを一層防止することができる。
【図面の簡単な説明】
【００２２】
【図１】貯湯システムの概略構成図
【図２】貯湯システムの出荷準備の手順を示すフローチャート
【図３】貯湯システムの現地施工の手順を示すフローチャート
【発明を実施するための形態】
【００２３】
本発明に係る熱源装置の施工方法、熱源装置及び貯湯システムの実施形態について、図面に基づいて説明する。
図１に示すように、本実施形態に係る貯湯システム１０は、熱源装置としての熱源ユニット４０と貯湯ユニット２０とが接続されて構成されている。
尚、詳細については後述するが、熱源ユニット４０と貯湯ユニット２０とは、上水循環流路２４に設けられた接続部２４ａにより、着脱自在に接続されている。
【００２４】
貯湯ユニット２０は、上水道から供給された低温の被加熱流体としての上水Ｗが流入する流入口２２と、排熱熱交換器４３で加熱されて適宜貯湯タンク２１に貯留された高温の上水Ｗが流出する流出口２３とを備えており、かかる高温の上水Ｗが給湯や暖房等に利用される。
【００２５】
以下、熱源ユニット４０について、図１に基づいて詳細に説明する。
熱源ユニット４０は、熱を発生して冷却水Ｃを加熱する熱発生部４１を備える。尚、本実施形態の熱源ユニット４０では、図示は省略するが、発電機等を駆動するエンジンや燃料電池等の熱電併給装置を熱発生部４１として備えるが、例えば、ボイラなどのように熱のみを発生するものを熱発生部４１として備えても構わない。
更に、熱源ユニット４０は、熱を放出して冷却水Ｃを冷却する熱放出部としての排熱熱交換器４３と、熱発生部４１と排熱熱交換器４３との間で冷却水Ｃを循環させる冷却水循環流路４２と、冷却水循環流路４２に配置され冷却水Ｃを大気開放状態で内部に一時的に貯留する膨張タンク５０とを備えている。尚、冷却水Ｃとしては、冷却水Ｃの凍結を防止する不凍剤、及び、冷却水循環流路４２等の内部に錆が発生することを防止する防錆剤等の添加剤を上水Ｗに添加した溶液が利用される。
【００２６】
冷却水循環流路４２には、冷却水Ｃの循環方向に沿って、冷却水Ｃを送り出す冷却水循環ポンプ４４、熱発生部４１、当該熱発生部４１から吐出された冷却水Ｃの温度を検出する高温側冷却水温度センサ４５、冷却水Ｃとの熱交換により上水Ｗを加熱する排熱熱交換器４３、及び、冷却水Ｃを一時的に貯留する膨張タンク５０が、記載の順で配置されている。更に、膨張タンク５０には、一時的に貯留される冷却水Ｃの温度を検出する低温側冷却水温度センサ４９が設けられている。
【００２７】
また、熱源ユニット４０には、コンピュータ等からなる制御装置４６が設けられている。この制御装置４６は、後述する給水手段４７と運転制御手段４８として機能する。また、この制御装置４６は、高温側冷却水温度センサ４５、及び、低温側冷却水温度センサ４９の検出信号が入力されるように構成されている。
そして、熱発生部４１において熱を発生している状態で、運転制御手段４８により冷却水循環ポンプ４４を作動させて、冷却水循環流路４２に冷却水Ｃを循環させると、熱発生部４１を通過して加熱された冷却水Ｃが、排熱熱交換器４３を通過することで上水Ｗとの間で熱交換を行い、再び熱発生部４１に供給される。
また、熱発生部４１で加熱された冷却水Ｃの温度、即ち高温側冷却水温度センサ４５で検出される高温側冷却水温度が、所定の温度（例えば７５℃〜８０℃程度）に保たれている。
【００２８】
膨張タンク５０には、膨張タンク５０内の冷却水Ｃの液面レベルを検出する液面レベル検出手段５４と、上水Ｗを供給する上水供給管５３と、この上水供給管５３に取り付けられて、上水供給管５３を開閉する電磁弁５２とを備えている。液面レベル検出手段５４からの液面検出信号が制御装置４６に入力され、電磁弁５２を開閉する制御信号が制御装置４６から出力されるように構成されている。
【００２９】
これにより、給水手段４７は、液面レベル検出手段５４が検出した検出結果に基づいて、上水供給管５３に取り付けられた電磁弁５２の開閉制御を行って、上水供給管５３から膨張タンク５０内への上水Ｗの供給量を調整することで、膨張タンク５０内に上水Ｗを断続供給して液面レベル検出手段５４で検出される液面レベルを標準液面レベル５５ａに維持する手段として構成されている。
【００３０】
液面レベル検出手段５４は、静電容量式の液面レベルスイッチ等からなり、標準液面レベル検出部５４ａと低液面レベル検出部５４ｂとによって構成されている。標準液面レベル検出部５４ａは、膨張タンク５０における所定の満水冷却水量に対応する冷却水Ｃの液面レベルである標準液面レベル５５ａを検出するものである。
一方、低液面レベル検出部５４ｂは、熱源ユニット４０の通常運転を実施するために最小限必要となる冷却水量に対応する液面レベルである低液面レベル５５ｂを検出するものである。
【００３１】
運転制御手段４８は、熱源ユニット４０を所定の設置場所へ設置するにあたり、熱源ユニット４０を設置場所に移送する前に、給水手段４７の作動、即ち液面レベルを標準液面レベル５５ａとするための膨張タンク５０内への上水Ｗの供給を禁止した状態で、低液面レベル検出部５４ｂで検出した冷却水Ｃの液面レベルを判定基準液面レベルとして記録する判定基準液面レベル記録処理を実行し、熱源ユニット４０を設置場所に移送した後に、低液面レベル検出部５４ｂで検出した冷却水Ｃの液面レベルが判定基準液面レベルと一致した場合に、給水手段４７の作動を許可する液面レベル判定処理とを実行するように構成されている。
そして、この液面レベル判定処理によって給水手段４７の作動が許可されると、標準液面レベル検出部５４ａで検出される標準液面レベル５５ａまで上水Ｗが膨張タンク５０内に供給される。
【００３２】
また、運転制御手段４８は、熱源ユニット４０を設置場所に移送した後に、上述の液面レベル判定処理に先立って、冷却水循環流路４２に設けられた冷却水循環ポンプ４４を一時的に作動させて、冷却水循環流路４２に冷却水Ｃを循環させる一時循環処理を実行するように構成されている。これにより、移送時の熱源ユニット４０の揺れに伴って、膨張タンク５０内の冷却水Ｃの液面が波打って、冷却水循環流路４２の冷却水Ｃに空気が混入してしまった場合でも、その混入した空気を大気開放状態にある膨張タンク内に冷却水Ｃの液面から放出することができる。ちなみに、膨張タンク５０内に冷却水Ｃの液面から放出された空気は、給水口５６やオーバーフロー用排出口５７から、大気中に放出される。なお、給水口５６は膨張タンク５０の上面に設けられ、この給水口５６から、冷却水Ｃや当該冷却水Ｃに添加する添加剤が膨張タンク５０内に供給される。また、熱源ユニット４０の通常運転を実施する際は、給水口５６に蓋５６ａが取り付けられる。
【００３３】
この一時循環処理によって、冷却水Ｃに空気が混入していない状態として、移送後の冷却水Ｃの液面レベルを、低液面レベル検出部５４ｂで正確に検出することができ、移送後の冷却水Ｃの液面レベルと判定基準液面レベルとが一致するかの判定を行う液面レベル判定処理を正確に実行することができる。
【００３４】
また、膨張タンク５０には、膨張タンク５０の側面の標準液面レベル５５ａよりも上方に、冷却水Ｃを外部へ排出するオーバーフロー用排出口５７を備え、膨張タンク５０の内部にオーバーフロー用排出口５７の下縁部側から膨張タンク５０の内側へ向かって延びる仕切板５１が設けられている。この仕切板５１は、膨張タンク５０の内側に位置する先端部５１ｂが、膨張タンク５０の側面側に位置する基端部５１ａよりも下方に位置するように傾斜されている。
この仕切板５１の基端部５１ａは、膨張タンク５０の側面に沿って膨張タンク５０の側面との間に隙間がない状態で固定されている。一方、仕切板５１の先端部５１ｂは、膨張タンク５０の上面視で中心付近まで延出する形態とされる。また、オーバーフロー用排出口５７が形成された排出管５８の膨張タンク５０の外側には、オーバーフロー用排出口５７から排水された冷却水Ｃが流れる排水チューブ５９が設けられている。
【００３５】
次に、上述の熱源ユニット４０を備えた貯湯システム１０を、製造工場等から所定の設置場所へ移送し設置する施工方法について、図２及び図３に示したフローチャートに基づいて説明する。
先ず、図２に基づいて、熱源ユニット４０の移送前の製造工場等における出荷準備方法について説明する。
熱源ユニット４０を製造工場等から所定の設置場所に移送する前に、冷却水循環流路４２における冷却水Ｃの状態が、冷却水Ｃに含まれる添加剤の濃度が標準濃度よりも高く且つ液面レベルが標準液面レベル５５ａよりも低い高濃度低液面レベル状態となるように、膨張タンク５０の給水口５６から高濃度の冷却水Ｃを熱源ユニット４０に供給する（＃１０１）。この高濃度低液面レベル状態の冷却水Ｃの液面レベルは、本実施形態においては、低液面レベル検出部５４ｂで検出される低液面レベル５５ｂとされる。また、高濃度低液面レベル状態の冷却水Ｃに含まれる添加剤の濃度は、標準濃度より高濃度である。
この高濃度低液面レベル状態における低液面レベル５５ｂは、熱源ユニット４０の運転を行うことができる最低限の液面レベルである。
更に、高濃度低液面レベル状態における高濃度の程度は、低液面レベル５５ｂから標準液面レベル５５ａまでに相当する上水Ｗを加えた場合でも、濃度が標準濃度を下回ることがない程度の濃度とされている。
そして、この状態で、熱源ユニット４０の試運転が行われる（＃１０２）。
【００３６】
熱源ユニット４０の試運転が終了すると、運転制御手段４８によって、給水手段４７の作動を禁止した状態、つまり膨張タンク５０内に上水Ｗが供給されない状態で、低液面レベル検出部５４ｂで検出した低液面レベル５５ｂを判定基準液面レベルとして不揮発メモリ等に記録する判定基準液面レベル記録処理を実行する（＃１０３）。続いて、熱源ユニット４０と貯湯ユニット２０とを接続部２４ａで分離して（＃１０４）、熱源ユニット４０と貯湯ユニット２０とを所定の設置場所に向けて個別に発送して出荷準備を終了する。よって、熱源ユニット４０は、分離されることはなく一体として所定の設置場所へ移送される。
【００３７】
そして、設置場所への移送中に、熱源ユニット４０の振動に伴い膨張タンク５０内の冷却水Ｃが波打った場合でも、波打った冷却水Ｃがオーバーフロー用排出口５７に流入することを仕切板５１が阻止するので、冷却水Ｃが膨張タンク５０の外部へ零れ落ちることが防止される。
【００３８】
次に、図３に基づいて、熱源ユニット４０の移送後における現地施工方法について説明する。
熱源ユニット４０を設置場所に移送後に、分離された移送された熱源ユニット４０と貯湯ユニット２０とを接続部２４ａで接続して、設置場所に設置する（＃２０１）。そして、運転制御手段４８によって、冷却水循環流路４２に設けられた冷却水循環ポンプ４４を一時的に作動させて、冷却水循環流路４２に冷却水Ｃを循環させる一時循環処理を実行することで（＃２０２）、冷却水循環流路４２等に混入する空気が大気中に放出される。その後、運転制御手段４８によって、低液面レベル検出部５４ｂによって検出される液面レベルが判定基準液面レベルと一致するかを判断する（＃２０３）。
【００３９】
低液面レベル検出部５４ｂによって検出される液面レベルが判定基準液面レベルと一致すると判断されると、運転制御手段４８によって、給水手段４７の作動が許可される。よって、給水手段４７によって電磁弁５２が開状態とされ、高濃度低液面レベル状態に調整されている冷却水Ｃに上水Ｗが加えられる。そして、冷却水Ｃの液面レベルが、判定基準液面レベルである低液面レベル５５ｂから標準液面レベル５５ａとなると、給水手段４７によって電磁弁５２を閉状態として、上水Ｗの供給を停止する。これにより、冷却水Ｃを標準状態とすることができる（＃２０４）。冷却水Ｃが標準状態となると、例えば、制御装置４６の表示部（図示せず）等において、給水が完了して通常運転が可能となったことを示す完了表示が行われる。これにより、現地施工を終了する。その後、貯湯システム１０の通常運転を開始する。
【００４０】
一方、現在の液面レベルが判定基準液面レベルと一致しないと判断されると、給水手段４７の作動が許可されない。よって、膨張タンク５０に上水Ｗが加えられない。この場合、制御装置４６の表示部（図示せず）等において、液面レベルが判定基準液面レベルと一致せず、給水が行われていないことを示すエラー表示を行う（＃２０５）。
このエラー表示が行われると、例えば、操作者によって、タンク内の液面レベルが確認され、判定液面レベルまで高濃度の冷却水Ｃが追加供給される。高濃度の冷却水Ｃは、移送前に供給された冷却水Ｃと同じ添加剤の濃度とした冷却水Ｃとされる（＃２０６）。
高濃度の冷却水Ｃが追加供給により、液面レベルが判定基準液面レベルと一致すると判断され（＃２０３）、冷却水Ｃが標準状態となるまで上水Ｗが加えられ（＃２０４）、現地施工を終了して、熱源ユニット４０の通常運転を開始することができる。
【００４１】
〔その他の実施形態〕
最後に、本発明のその他の実施形態について説明する。尚、以下に説明する各実施形態の構成は、それぞれ単独で適用されるものに限られず、矛盾が生じない限り、他の実施形態の構成と組み合わせて適用することも可能である。
【００４２】
（１）上記実施形態では、低液面レベル検出部５４ｂで検出される低液面レベル５５ｂを判定液面レベルとしたが、これに限らず、液面レベル検出手段５４を標準液面レベル５５ａより低い範囲の液面レベルを検出可能に構成し、標準液面レベル５５ａより低い所定の液面レベルを判定液面レベルとしてもよい。
【００４３】
（２）上記実施形態では、移送後において、液面レベルが判定基準液面レベルと一致すると判断されると、冷却水Ｃに上水Ｗを加えて標準状態としたが、これに限らず、移送前において、高濃度低液面レベル状態にある冷却水Ｃの判定液面レベルの記録を実施せず、移送後において、検出される液面レベルと判定基準液面レベルとが一致するかの判断を行わずに、冷却水Ｃに上水Ｗを加えて標準状態としてもよい。
【００４４】
（３）上記実施形態では、移送前において、高濃度低液面レベル状態とされる冷却水Ｃの液面レベルを、低液面レベル検出部５４ｂで検出される低液面レベル５５ｂとしたが、これに限らず、低液面レベル５５ｂ以外の標準液面レベル５５ａよりも低い液面レベルとしてもよい。
【００４５】
（４）上記実施形態では、熱源ユニット４０の出荷準備において、試運転を行った時の冷却水Ｃが膨張タンク５０に貯留された状態で熱源ユニット４０を移送したが、これに限らず、試運転を行った後に、熱源ユニット４０内の冷却水Ｃを入れ替えて、試運転を行った時と異なる冷却水Ｃが膨張タンク５０に貯留された状態で熱源ユニット４０を移送してもよい。その際、試運転を行った時と異なる冷却水Ｃの液面レベルとしてもよい。
【００４６】
（５）上記実施形態では、熱放出部を冷却水Ｃと上水Ｗとの間で熱交換する排熱熱交換器４３としたが、これに限らず、熱源ユニット４０に貯湯ユニット２０が接続されていない場合では、熱放出部を空冷式又は水冷式のラジエター等で構成して、冷却水Ｃの熱を大気中に放出してもよい。
【００４７】
（６）上記実施形態では、熱源ユニット４０と貯湯ユニット２０とを別体として、これらを着脱自在に構成したが、これに限らず、熱源ユニット４０と貯湯ユニット２０とを一の筐体内に配置して一体型に構成しても構わない。
【００４８】
（７）上記実施形態では、熱源ユニット４０の移送前に判定基準液面レベル記録処理を実行するとともに、熱源ユニット４０の移送後に液面レベル判定処理を実行し、液面レベル判定処理によって給水手段４７の作動が許可されると、高濃度低液面レベル状態にある冷却水Ｃに上水Ｗを供給して冷却水Ｃを標準状態としたが、これに限らず、判定基準液面レベル記録処理及び液面レベル判定処理を実行せず、移送後に、給水手段４７を作動させて、高濃度低液面レベル状態にある冷却水Ｃに上水Ｗを供給して、冷却水循環流路４２における冷却水Ｃの状態を、標準状態としてもよい。
【００４９】
（８）上記実施形態では、熱源ユニット４０の移送後の現地施工において、一時循環処理を実行したが、これに限らず、現地施工において、一時循環処理を省略してもよい。
【００５０】
（９）上記実施形態では、熱源ユニット４０の移送前の出荷準備を、熱源ユニット４０と貯湯ユニット２０とが接続された状態で開始したが、これに限らず、熱源ユニット４０のみで出荷準備を行ってもかまわない。この場合、出荷準備において、熱源ユニット４０の上水循環流路２４に設けられた接続部２４ａから上水Ｗを供給する状態として熱源ユニット４０の試運転を行うことができる。また、熱源ユニット４０と貯湯ユニット２０とを接続部２４ａで分離する工程がなくなり、出荷準備を簡素化することができる。
【産業上の利用可能性】
【００５１】
以上説明したように、熱源装置の移送時において冷却水が零れ落ちることを防止しながら、煩雑な作業を必要とすることなく設置場所において適当な濃度の冷却水を得ることができる熱源装置の施工方法、熱源装置及び貯湯システムを提供することができる。
【符号の説明】
【００５２】
１０    貯湯システム
２１    貯湯タンク
４１    熱発生部
４２    冷却水循環流路
４３    排熱熱交換器（熱放出部）
４０    熱源ユニット
４４    冷却水循環ポンプ
４７    給水手段
４８    運転制御手段
５０    膨張タンク
５１    仕切板
５１ａ  先端部
５１ｂ  基端部
５２    電磁弁
５４    液面レベル検出手段
５５ａ  標準液面レベル
５５ｂ  低液面レベル
５７    オーバーフロー用排出口
Ｃ      冷却水
Ｗ      上水（被加熱流体）
【図１】
2014102035.tif 000003
【図２】
2014102035.tif 000004
【図３】
2014102035.tif 000005